(57)【要約】【課題】履歴を記憶するデータロガーと履歴を管理するパソコンとデータの授受を行う機能を備えた携帯型のデータポッドと、それを用いた管理システムを提供する。【構成】データポッドは、携帯型で、データの送受信部と、ＵＳＢ端子と、マイコンと、メモリと、表示体と、電源部からなる。管理システムは、データロガーとデータポッドとパソコンからなる。データロガーは、振動や温度等のセンサと、マイコンと、センサ等の履歴を記憶するメモリと、送受信部と、ＵＳＢ端子と、電源部からなり、荷等に取り付けられている。データポッドは、データロガーと送受信部を近接させ又パソコンとＵＳＢケーブルを介して履歴データの送受信を行う。【選択図】  図１
2005333604.tif 000002
【特許請求の範囲】
【請求項１】
パソコンと、履歴を記憶するデータロガーと、上記パソコン及び上記データロガーとの通信機能を有するデータポッドからなる管理システムにおいて、
上記データポッドは、人が手で持って操作できる携帯型であることを特徴とする管理システム。
【請求項２】
第１パソコンで入力された第１履歴データと、センサから送られた第２履歴データをデータロガーに記憶した後、上記データロガーを第２パソコンに接続して上記第１履歴データと上記第２履歴データを上記第２パソコンに表示する管理システムにおいて、
上記第１履歴データを入力したデータポッドを上記データロガーに近接させて、上記第１履歴データを上記データロガーに入力することを特徴とする管理システム。
【請求項３】
前記データポッドは、マイクロプロセッサと、メモリと、パソコンから入力されたデータのパルスのエッジで短パルスを発生させるエッジパルス生成回路と、前記データロガーから送られた短パルスを元のパルスに復元するエッジパルス復元回路と、送受信部と、表示体と、パソコンとの接続端子とからなり、前記データロガーは、マイクロプロセッサと、メモリと、センサと、前記データポッドから送られた短パルスを元の信号パルスに復元するエッジパルス復元回路と前記データポッドに送るデータのパルスのエッジで短パルスを発生させるエッジパルス生成回路と、送受信部と、パソコンとの接続端子からなることを特徴とする請求項２記載の管理システム。
【請求項４】
前記送受信部は、データを送受信するコイルを有することを特徴とする請求項２又は３記載の管理システム。
【請求項５】
前記送受信部は、データを送受信する受発光素子を有することを特徴とする請求項２又は３記載の管理システム。
【請求項６】
マイクロプロセッサと、メモリと、表示体と、パソコンとの接続端子と、コイルを有する送受信部とからなることを特徴とするデータポッド。
【請求項７】
マイクロプロセッサと、メモリと、表示体と、パソコンとの接続端子と、受発光素子を有する送受信部とからなり、上記受発光素子の発光素子は、上記パソコンから入力されたデータを光として出力することを特徴とするデータポッド。
【発明の詳細な説明】
【技術分野】
【０００１】  本発明は、データポッドとそれを用いて輸送等の履歴を管理する管理システムに関する。
【背景技術】
【０００２】  発明者は、物流における３方向の振動、傾きや温度を記録する超小型データレコーダ（商品名：Ｇ−ＭＥＮ）を開発し、荷に輸送中加わる外乱の履歴を簡便にチェックできる装置を提供した。この超小型データレコーダを使用している輸送関係者から、物理的外乱データの他に、荷の取扱者名、営業所名、時間等を記録させ、それらの履歴を輸送中及び輸送後に読み出すことができる管理システムの開発実用化を要望されるようになった。【０００３】  輸送中の温度や振動を記録してチェックできるロジスティック・チェーン管理システムは、特表２００４−５０９８２６号公報に開示されている。しかし、このスステムは、無線で中央データベースと送受信するもので、データロガーの消費電力が大きくなり過ぎる問題がある。輸送期間が長期に亘る船舶輸送の場合、電池切れを起こす可能性が大きく、安心して使用できない。【０００４】  通信方法として、電磁カップリングや光カップリングを用いる方法は慣用されている技術である。【０００５】  特開２００３−２５６９７４号公報は、測定器の測定データを電磁カップリングで送受信する技術を開示しているが、パソコンから入力されるデータと測定データとを時系列的に記憶する要素はなく、且つ外部処理手段の送信部がケーブルに接続されており、輸送履歴の管理には適用できない。【０００６】  又、特開２００１−２４３１９８号公報は、光カップリングでデータを送受信する技術を開示している。開示内容は、ペン型ハンディターミナルで携帯型であるが、ハンディーターミナルにキー入力し、蓄積したデータを光カプラで携帯電話機に送信して、携帯電話を介して、ホストパソコンに送信するための在庫管理装置であって、輸送履歴の管理には適用できない。【０００７】
【特許文献１】特表２００４−５０９８２６号公報
【特許文献２】特開２００３−２５６９７４号公報
【特許文献３】特開２００１−２４３１９８号公報
【発明の開示】
【発明が解決しようとする課題】
【０００８】  本発明が解決しようとする第１の課題は、輸送中の振動や温度等の外乱データと輸送取扱者等の人的データを輸送履歴として管理できる管理システムを提供することにある。【０００９】  第２の課題は、パソコンから入力された取扱者等の人的データを記憶し、携帯した状態でそのデータを送信できるデータポッドを提供することにある。【００１０】  第３の課題は、スイッチが外部に露出してなく且つ消費電力が小さく、長時間の輸送に耐えるデータロガーを提供することにある。【００１１】  第４の課題は、消費電力の小さいデータの通信方式を提供することにある。
【課題を解決するための手段】
【００１２】  本発明は、パソコンと、履歴を記憶するデータロガーと、パソコン及びデータロガーとの通信機能を有するデータポッドからなる管理システムにおいて、データポッドは、人が手で持って操作できる携帯型であることを特徴とする。【００１３】  第１パソコンで入力された第１履歴データと、センサから送られた第２履歴データをデータロガーに記憶した後、データロガーを第２パソコンに接続して第１履歴データと第２履歴データを第２パソコンに表示する管理システムにおいて、第１履歴データが入力されたデータポッドをデータロガーに近接させて、データロガーに第１履歴データを送信することを特徴とする。【００１４】  データポッドは、マイクロプロセッサと、メモリと、パソコンから入力されたデータのパルスエッジで短パルスを発生させるエッジパルス生成回路と、データロガーから送られた短パルスを元の信号パルスに復元するエッジパルス復元回路と、送受信部と、表示体と、パソコンとの接続端子とからなり、データロガーは、マイクロプロセッサと、メモリと、センサと、データポッドから送られた短パルスを元の信号パルスに復元する回路と、データポッドに送るデータのパルスエッジで短パルスを発生させる回路と、送受信部と、パソコンとの接続端子からなることを特徴とする。【００１５】  送受信部は、データを送受信するコイルを有することを特徴とする。【００１６】  送受信部は、データを送受信する受発光素子を有することを特徴とする。【００１７】  マイクロプロセッサと、メモリと、表示体と、パソコンとの接続端子と、コイルを有する送受信部とからなり、コイルは、パソコンから入力されたデータを磁場として出力することを特徴とする。【００１８】  マイクロプロセッサと、メモリと、表示体と、パソコンとの接続端子と、発光素子と受光素子を有する送受信部とからなり、発光素子は、パソコンから入力されたデータを光として出力することを特徴とする。
【発明の効果】
【００１９】  本発明は、以上説明したように構成されているので、次のような効果を奏する。【００２０】  荷に取付けられたセンサからのデータと、荷を取扱う人に関するデータ等の履歴をチェックできる管理システムを提供できる。【００２１】  携帯できるデータポッドを用いることにより、荷の取扱者が、荷を目視で確認しながら、人的データをデータロガーに入力する管理システムを提供できる。【００２２】  データポッドとデータロガーは、パルスのエッジで短パルスを発生させる回路を有しているので、データポッドとデータロガーとの送受信に必要とする電力が著しく小さい管理システムを提供できる。【００２３】  データの送受信は、２つのコイルの相互誘導原理を採用した電磁カップリング方式であり、コイルに短パルスを流すので、発生する磁場がシャープなパルス磁場となり、受信しやすくなる他、３ｃｍ程度離れていても十分に通信ができるデータポッドと管理システムを提供できる。【００２４】  データポッドとデータロガーを近接させて、データポッドとデータロガー間で通信を行うので、光信号の混信を防止できるデータポッドと管理システムを提供できる。【００２５】  出力したい場所にデータポッドを携帯し、パソコンに接続して入力したデータを出力できるデータポッドを提供できる。
【発明を実施するための最良の形態】
【実施例１】
【００２６】  本発明は、輸送管理者がその輸送履歴をチェックすることにより輸送管理を行う管理システムである。【００２７】  図１は、本発明の管理システムを示すブロック図である。本発明の管理システムは、データポッド１とデータロガー２とパンコン３とからなる。パソコン３は、データポッド１とデータロガー２とを必要に応じてＵＳＢケーブル４で接続し、通信を行う。データポッド１とデータロガー２とは、近接して通信５を行う。【００２８】  パソコン３で入力されたデータは、ＵＳＢケーブル４でデータポッド１に送信され、データポッド１に記憶される。データポッド１は、携帯型に設計されている。パソコンから入力されたデータを記憶したデータポッド１は、ＵＳＢケーブル４を取り外され、そしてデータロガー２の近くに携帯されて、パソコンから入力されたデータをデータロガー２へ近接して送信する。【００２９】  データロガー２は、その内部に配されたセンサからのデータとデータポッド１から入力されたデータとを記憶する。データロガー２に記憶されたデータは、データロガー２を荷等から取外してパソコン３に接続し、パソコン３へ送信できる。また、このデータは、輸送途中必要に応じて、データポッド１を介してもパソソコン３に送信し表示することもできるようになっている。【００３０】  パソコン３は、デスクトップ型又はポータブル型いずれでも良い。ポータブル型パソコンの場合、パソコン３とデータポッド１をＵＳＢケーブルで接合した状態でデータロガー２の傍に携帯し、パソコン３とデータポッド１を接合して状態でデータを送信しても良い。【００３１】  図２は、荷が移動する経路の概要を示すブロック図である。荷は、発送人から受付営業所、中間取扱営業所を経由して到達営業所に運ばれ、更に荷の受取人まで配送される。中間取扱営業所は、１個所のみの場合は少なく、複数個所あることが多い。【００３２】  データロガー２は、荷の管理に必要な基本データがパソコン３又はデータポッド１を介して入力されて荷主に貸し出される。荷に取り付けられる前にデータロガー２の電源スイッチをＯＮにして、外乱データを記録できる状態にする。耐防水が厳しく要望される場合は、電源スイッチを内部に配設したデータロガー２を用いる。この場合、営業所で電源スイッチを入れてデータロガー２を貸し出す。荷造り時や受付営業所への運搬時に発生する外乱を測定することも大切なので、データロガー２は、荷の発送人が荷造りする時などの早い時期に、荷又はコンテナの一部に取り付ける。なお、データロガー２の荷への取付は、受付営業所で行う場合もある。【００３３】  管理に必要なデータは、荷発送人、荷受人、営業所、荷の管理番号、受付日時、受付人、荷の取扱者、測定記録する外乱データの種類、警報を知らせる外乱データの限界値等である。なお、外乱データの種類は、輸送会社と荷主との契約により定める。これらのデータが容易に追加あるいは削除できるように管理プログラムが作成されている。なお、データを入力した日時や外乱が生じた時刻は、パソコン３、データポッド１とデータロガー２に組み込まれたタイマーから自動的に入力され、データロガー２に記憶できるように設定されている。【００３４】  パソコン３と遠く離れている荷に取扱者等のデータを入力する場合、先ず、データポッド１をパソコンにつなぎ、パソコン３から必要データを入力する。その後、データポッド１をパソコン３から切り離し、携帯してデータロガー２に近接させて、データロガー２にデータを入力する。【００３５】  一人の荷取扱者が、複数の荷にそれぞれ取付けられた複数のデータロガー２にデータを入力する場合、荷に１対１で対応した複数本のデータポッド１でデータを入力する方法が簡便である。しかし、データポッド１の本数が多くなるので、１本のデータポッド１で複数のデータロガー２にデータを送信する方法でも良い。【００３６】  更に、本発明の管理システムでは、データポッド１でデータがデータロガー２に入力されたかどうかチェックできるようにもなっている。例えば、データポッド１からデータロガー２にパソコン３から入力されたデータを送信し、データロガー２がそのデータを受信すると、データロガー２からデータポッド１にデータを受信したコードを返信するようになっている。この返信は、データポッド１の液晶表示体８に表示されるので、荷の取扱者は、データロガー２がデータを受信したことを確認できる。さらに、荷の取扱者は、データポッド１を持ち帰りパソコン３に接続し、データロガー２からの返信を含めた操作履歴データをパソコンに送信する。データ入力が完了したことをパソコン１で確認した後、荷の発送をＯＫとすることもできる。【００３７】  次に、荷が中間取扱営業所又は到達営業所に着いた場合、取扱営業所名、取扱者名、日時等をパソコンからデータポッド１に入力し、データポッド１からデータロガー２に送信する。データロガー２がデータを受信したことがデータポッド１に返信される。この返信データと一緒に、輸送中に異常な外乱をセンサーが検知した場合、異常を示すコードがデータポッド１へ送信される。送受信に時間がかかるが、データポッド１は、データロガー２に記憶されたデータを全て送信させることができるようにもなっている。このようにして、輸送途中で荷が受けた外乱に対する把握が、荷の梱包を開封するより早くでき、対策が早く取れる。【００３８】  データロガー２は、荷主と輸送業者の間で輸送契約を結ぶ時に決められた振動、温度、湿度、気圧、傾き等の限界値を超えた場合、異常な外乱が荷に加えられたと判断する。そして、その異常な外乱が荷に加えられたことを送信する仕組みとなっている。【００３９】  荷は、到達営業所に到着すると、データロガー２に営業所名や取扱者名をデータポッド１で入力し、データロガー２に記憶された異常な外乱があったかどうかを確認してから、荷受人へ送られる。荷受人が、荷を受け取った時点で、データロガー２には、データポッド１から荷扱者名が入力される。その後、荷受人は、データロガー２を荷から取り外し、輸送会社にデータロガーを返却する。輸送会社では、データロガー２をパソコン３と接続して、履歴をダウンロードする。ダウンロードされた履歴データは、表示や加工して、輸送実態の把握を行う。【００４０】  このようなことで、データロガー２は、運搬の初めから最後まで原則として同一のものを使用する。一方、データポッド１とパソコン３は、それぞれの営業所のものを使用し、輸送の全工程中同一ではない。
以上説明した輸送経路と履歴データの入出力方法は、標準的な１例を示したものであり、荷の輸送実態に合わせて決められた方法も本発明に含まれる。【００４１】  図３は、データポッド１の平面図である。データポッド１は、携帯性と操作性とを考慮して、ペン型とし、断面形状を丸めた矩形又は台形になっている。その先端にスイッチ６と、後端にＵＳＢ端子７と、中央部に液晶表示体８とデータロガーへの命令ボタン９とパソコンとの通信ボタン１０が設けられている。ＵＳＢ端子７は、データポッド１とパソコン３とをＵＳＢケーブル４で接続する。なお、データロガーへの命令ボタン９とパソコンとの通信ボタン１０は、設けない場合もある。更に、データポッド１の外形をリモコン操作機器や携帯電話に類似した形状にすることにより、操作機能を多く持たせることができると共に、筐体や回路部品等を共通化しコスト低減を図ることができる。【００４２】  図４は、データポッド１の先端部を説明するための図である。ペン型のデータポッド１の筐体１５の先端にはスイッチ６とコイル１４が設けられている。スイッチ６は、スイッチ回路１１と連携し、押されると回路が作動し、コイル１４からデータが送信されるようになっている。コイル１４は、円筒形に巻かれた空芯コイルで、その軸方向は、筐体１５の長手方向である。【００４３】  図５は、データポッド１の回路ブロック図である。パソコン１から送信されたデータは、ＵＳＢ端子７を介してマイクロプロセッサ１６に送られメモリ１７に記憶される。エッジパルス発生回路１８は、パルスの立上がりエッジと立下りエッジで短パルスを発生さる回路である。エッジパルス復元回路１９は、短パルスを元のパルスに復元する回路である。送受信回路２０は、データロガー２とデータの送受信を行うための回路で、送信スイッチ回路２２がＯＮの時に送受信できる。送信スイッチ回路２２は、ＯＮになった後、信号が所定時間入力されないとＯＦＦになるように設定されている。この時間の設定は、タイマー回路２１又はマイコンタイマーを利用する。タイマー回路２１は、時計機構で、データを送受信した時刻もメモリ１７に送る。【００４４】  図６は、エッジパルス発生回路１８と、送受信回路２０と、エッジパルス復元回路１９の配線図の一例を示したものである。エッジパルス発生回路１８は、排他的論理輪回路２３と遅延回路２４からなる。送受信回路２０は、コイル１４と誘導される逆起電流を流すダイオードからなる。本発明の実施例１は、コイル１４で送信と受信の双方を行う。エッジパルス復元回路１９は、ＪＫフリップフロップ回路２５とリセット回路２６と波形整形回路からなる。データロガー２も図６に示す回路と基本的に同じ回路を使用しているが、混同をさけるため、データロガーの構成要素には符号ａを付加して記述する。【００４５】  次に、通信をするための符号化処理について説明する。パソコン３に入力されたデータは、情報８ビットの前後にスタートビットとストップビットを付加した調歩同期式符号構成に変換される。この変換は、マイクロプロセッサ１６で行うが、パソコン３で行っても良い。【００４６】  調歩同期式符号は、データ・ブロックを１０ビットに成形し、前後にスタートビットとストップビットと、情報８ビットで１フレームを構成するが、通信エラーを低減するために、スタートビット、情報７ビット、パリティビット、ストップビットの１０ビットからなる符号構成としても良い。更に、符号構成は、１０ビット以外に１１，１５、２０ビットなどでも良い。【００４７】  送受信の手順は、先ず、パソコン３等で入力されたデータが、調歩同期式符号構成に変換される。次に、図６に示す回路を用いて、調歩同期式符号は、データポッド１に配されたエッジパルス生成回路１８で短パルスに変換され、送受信回路２０のコイル１４からパルス磁場として送信される。送信されたパルス磁場は、データロガー２の送受信回路２０ａのコイル１４ａ（図８のコイル２８と同一）にパルス電流を発生させる。このパルス電流をエッジパルス復元回路１９ａに送り調歩同期式符号に復元する。更に、調歩同期式符号構成にするために加えたビット等を取除き、元のデータに戻す。これとは逆に、データロガー２からデータポッド１へ送信する場合も同様である。【００４８】  次に、パルスの立上がりエッジと立下りエッジで短パルスを生成する仕組みを説明する、調歩同期式符号は、ＴＸＤ端子からエッジパルス発生回路１８に送られる。パルスはＡ点で分岐され、遅延回路２４に送られる。遅延したパルスと遅延してないパルスが排他的論理和回路２３に送られる。排他的論理輪回路２３からは、遅延された時間巾の短パルスが出力される。短パルスの生成は、立上がりエッジでも立下りエッジでも同様である。【００４９】  短パルスは、送受信回路１９中のコイル１４を流れることによりパルス磁界を発生させる。このパルス磁界によりデータロガー２に設けられたコイル２８にパルス電流を誘導させることができる。コイル１６とコイル２８は、相互誘導の関係にあり、コイル２８からも異なるパルス磁界が発生し、この磁界によるパルス電流がコイル１６に発生する。このパルス磁界を受信信号と間違えないように、送受信回路２０は、送信中に受信をしないように設定されている。【００５０】  データポッド１で生成したパルス磁界は、データロガー２の送受信回路２０ａのコイル１４ａ（図８のコイル２８と同一）でパルス電流に変換されて短パルスが生成する。この短パルスは、波形整形された後、ＪＫフリップフロップ２５ａに送られ、短パルスは元のパルスに復元され、ＲＸＤ端子からマイクロプロセッサに送られる。以上、１個のパルスについて説明したが、実際のパルスは、継続して送られるパルストレインで、複数パルスの組み合わせからなる。【００５１】  また、調歩同期式通信では、１０ビットの１符合語単位で信号を送る。調歩同期式通信では、符合語単位が間欠的に送られるので、単安定マルチバイブレータでフレームとフレームの間の時間に発生する出力をＪＫフリップ・フロップ２５に入力してリセットをかける。このリセット信号を生成する回路がリセット回路２６である。このようにして、ＪＫフリップ・フロップ２５は、１フレームの最初の出力ビットが１となるようにしている。【００５２】  データロガー２において、ＪＫフリップ・フロップ２３ａの出力信号は、調歩同期式通信の受信データであるから、マイクロプロセッサ１６ａでスタートビット、ストップビット等が除かれ元の信号に復元される。この復元された信号を更にデーコードしてメモリ１７ａに記憶する。【００５３】  一方、データポッド１もデータロガー２からデータを受信できる。データロガー２からデータポッド１に送られたデータに荷の状態が異常となったことを知らせるコードが含まれていた場合、警告メッセージが表示体８に表示される。この場合、データポッド１をパソコン３に接続すると同様の警告メッセージがパソコン３の画面に表示され、且つ警報音を発するようになっている。このことにより、輸送管理者が、荷の輸送途中で荷の異常を認識し、適切な対策をとることができる。【００５４】  図７は、パルスのエッジで短パルスが発生する状況（図７（ａ））と短パルスを元のパルスに復元する状況（図７（ｂ））を示すタイムチャートで、横軸は時間で、縦軸は電圧である。図中の符号Ａ、Ｂ，Ａ‘、Ｂ’は、図６の符号Ａ、Ｂ，Ａ‘、Ｂ’に対応する。【００５５】  図８は、直方体の形状をしているデータロガー２の平面図である。データロガー２には、液晶表示体２７が配設されている。なお、消費電力を減少させるために、必要な時に液晶表示体は点灯される。更に消費電力を少なくするために、液晶表示体２７を設けない場合もある。【００５６】  データロガー２には、コイル２８が４個設けられている。１つは、データポッド１からの受信を行うためのものである。他のコイルは、操作スイッチ（データサンプリングの開始や停止等）である。個数は４個に限定されるものではなく、１個でもよく、更にその大きさも大小取り混ぜてもよい。【００５７】  データポッド１からのデータを受信すると、液晶表示体２７は、受信状態であることを表示する、更に、センサが異常値を記録した場合、異常を表示して、荷扱者に警告を発する。液晶表示体２７は、所定時間、入力がないと表示がＯＦＦとなる。液晶表示体２７は、輸送中の表示をＯＦＦモードとし、必要な時にＯＮにする。【００５８】  ＵＳＢ端子２９は、荷の梱包が開封された後、パソコン３に履歴を送信するための端子で、データロガー２の側面に配されている。防水のため、設置場所をケース３０の内部とし外部に露出しないようにしても良い。【００５９】  データロガー２は、取付金具３０を介して荷又はコンテナに固定される。取付金具３０は１例であり、その形状や個数、更に取付場所はこの例に限定されるものではない。【００６０】  データロガー２は、防水構造であり、電源スイッチは、ケース内に設けられている。また、データロガーのケースの外側に防水ケースを設ける場合もある。この場合、前面は、液晶表示体が読めるように透明とする。なお、データロガー２の電源スイッチをケース内に設けるのは、フールプルーフのためでもある。【００６１】  図９は、コイルの平面図である。コイルは、多層プリント基板に設けられる。形状は、図９（ａ）の円型渦巻き状や図９（ｂ）の角型渦巻き状の何れでもよく、これ以外に楕円状でも良い。形状は、データポッド１の先端に配されたスイッチ６との接触し易さと、発生する磁場の受け易さ等により定まる。大きさは、直径が１０ｍｍで、好ましい範囲は、直径が５〜２０ｍｍである。巻き数は、４巻きを例示したが、流す電流により１〜２０巻きが適し、２〜１０巻きがより適している。又、プリントコイルを積層して出力を高めても良い。【００６２】  図１０は、データロガー２の構成要素をブロックとして表示した図である。１６ａはマイクロプロセッサ、１７ａはメモリ、１８ａはエッジパルス生成回路、１９ａはエッジパルス復元回路、２０ａは送受信回路、２１ａはタイマー回路、７ａ（図８の２９と同一）はＵＳＢ端子である。データロガー２は、データポッド１と共通要素からなり、それら以外に、輸送中の外乱を測定するセンサが配設されている。３１は３軸振動センサ、３２は温度センサである。【００６３】  振動センサ３１は、３個のセンサ体を直交３軸に配設したものでる。測定限界は、１０Ｇである。サンプリング周期は、０．０９秒で、０，０３秒〜０．５秒が適している。サンプリングデータを全て記録するとデータ容量が大きくなりすぎるので、１０分間内の最大加速度と、測定した時間をメモリ１７ａ（ＥＥＰＲＯＭ）に記憶させる。なお、データポッド１に使用したメモリ１７は、メモリ１７ａより容量が小さくても良く、更にＥＥＰＲＯＭに限定されず、ＳＲＡＭやフラッシメモリでも良い。【００６４】  ３２は、温度センサである。−３０℃〜＋８０℃を検出範囲とし、サンプリング時間やデータの保存方法は、振動センサ３１と同様である。これ以外のセンサとして、傾き計と、湿度計と、気圧計と、酸素、アンモニア、メタン、エタン、プロパン、塩素等のガス濃度計等を組み入れても良い。【００６５】  データロガー２は、例えば荷に加わった加速度が予め定めた値を超えた場合、必要に応じて警告を表示体２７に表示することができるようになっている。又、警告は、データキャリア１から受信した時、データポッドに送信され、データポッド１の表示体に表示される。警告は、データポッド１を介して、あるいは直接にパソコン３に送られ表示されて、輸送管理者に知らされる仕組みとなっている。
【実施例２】
【００６６】  図１１は、送受信を光カプラで行う管理システムである。実施例２は、実勢例１と送受信の方法が異なる。光カップリング型は、発光ダイオード３３からなる送信回路と、フォトトランジスタ３４からなる受信回路とを同一モジュールに実装した受発光モジュールからなる。光カプラは、電磁カプラと比較して、構成要素がコンパクトであるメリットがある。【００６７】  受発光モジュールは、データポッド１とデータロガー２の双方に設けられる。データポッド１では、データポッド１の先端部に突起部が設けられ、受発光モジュールはその中に配置される。データロガーでは、データロガー２の正面にカップリングの位置決めをするために突起部に勘合する形状の凹部が設けれ、受発光モジュールはその中に配置される。このようにすることにより、データポッド１とデータロガー２の受発光部に設けられた受光素子と発光素子は、互いに効率よくカップリングする。【００６８】  発光素子は、ＩＩＩ族とＶ族化合物半導体であるＧａＰ，ＧａＡｓＰで作られたｐｎ接合ダイオードで発光ダイオードと呼ばれるものを用いる。受光素子は、フォトトランジスタである。フォトトランジスタの代わりにホトダイオードを用いても良い。【００６９】  パソコン３からデータポッド１に入力されたデータは、調歩同期式符号に変換され、送信データとしてＴＸＤ端子に送られる。この送信データは、エッジパルス生成回路１８ａで短パルスとなり、送信回路に設けられた発光ダイオード３３よりパルス光として発射される。発光ダイオード３３から発射されたパルス光は、データロガー２の受信回路に設けられたフォトトランジスタ３４ａに入射し、パルス電流を発生させる。エッジパルス復元回路でこのパルス電流を元のパルスに復元し、受信データとしてＲＸＤ端子からマイクロプロセッサ１６ａに送る。【００７０】  本発明において、データロガー２は、センサをデータロガー筐体内に設けた例で説明したが、データロガーとセンサを別の場所に取り付けても良い。更に、複数個のセンサをデータロガーの筐体外に設けることも本発明に属する。
本発明において履歴とは、荷の履歴で、荷の梱包から開封までの荷に関する全ての事象をさす。また、近接とは、データポッドとデータロガーを数センチ以内に近づけることで、両者が接触しても良い。
【産業上の利用可能性】
【００７１】  本発明において、データポッドと管理システムの用途を輸送用として説明したが、警備、実験等で、チェック等の履歴を管理する用途にも適している。
【図面の簡単な説明】
【００７２】
【図１】データポッドを用いた管理システムのブロック図である。
【図２】データロガーを取付けた荷が移動する経路を示す図である。
【図３】データポッドの平面図である。
【図４】データポッドの先端部を模式的に示す図である。
【図５】データポッドの回路ブロック図である。
【図６】電磁カップリング型の信号の変調・復調回路と送受信回路図である。
【図７】（ａ）は、パルスの立上がり・立下りエッジで短パルスを発生させ、また、（ｂ）は、短パルスを元のパルスに復元するタイムチャートである。
【図８】データロガーの平面図である。
【図９】コイルの平面図である。
【図１０】データロガーの回路ブロック図である。
【図１１】光カップリング型の信号の変調・復調回路と送受信回路図である。
【符号の説明】
【００７３】  １・・・データポッド、２・・・データロガー、３・・・パソコン、４・・・ＵＳＢケーブル、５・・・近接通信、６・・・スイッチ、７・・・ＵＳＢ端子、８・・・表示体、９・・・データロガーへの命令ボタン、１０・・・パソコンとの通信ボタン、１４・・・コイル、１５・・・筐体、１６・・・マイクロプロセッサ、１７・・・メモリ、１８・・・エッジパルス生成回路、１９・・・エッジパルス復元回路、２０・・・送受信回路、２１・・・タイマー回路、２２・・・送信スイッチ回路、２３・・・排他的論理和回路、２４・・・遅延回路、２５・・・ＪＫフリップフロップ回路、２６・・・リセット回路、２７・・・液晶表示体、２８・・・コイル、２９・・・ＵＳＢ端子、３０・・・取付部材、３１・・・振動センサ、３２・・・温度センサ、３３・・・発光ダイオード、３４・・・フォトトランジスタ
【図１】
2005333604.tif 000003
【図２】
2005333604.tif 000004
【図３】
2005333604.tif 000005
【図４】
2005333604.tif 000006
【図５】
2005333604.tif 000007
【図６】
2005333604.tif 000008
【図７】
2005333604.tif 000009
【図８】
2005333604.tif 000010
【図９】
2005333604.tif 000011
【図１０】
2005333604.tif 000012
【図１１】
2005333604.tif 000013